(57)【要約】【課題】  非常に単純な構成で、タッチ感を変化させることなく、深いストローク位置においても鍵を連打することができるアップライトピアノのアクションを提供する。【解決手段】  押鍵に伴って作動し、ハンマー３に打弦を行わせるアップライトピアノのアクション１であって、押鍵時に、鍵４で突き上げられることにより回動するウィッペン６と、ウィッペン６に取り付けられ、ハンマー３を回動させるジャック７と、押鍵中に、ジャック７に係合するとともにウィッペン６に対して回動させ、ハンマー突上げ部７ｂをバット２０から離脱させるレギュレティングボタン１３と、ジャック７を、押鍵時とは逆の復帰回動方向に付勢するジャックスプリング１０と、ハンマー突上げ部７ｂから上方に延び、キャッチャーシャンク２６が当接することにより、ハンマー３の復帰回動を停止させるストッパ１９ｃと、を備えている。【選択図】図２
2006171618.tif 000002
【特許請求の範囲】
【請求項１】
鍵の押鍵に伴って作動し、バットおよびキャッチャーシャンクを一体に有するハンマーを回動させることにより打弦を行わせるアップライトピアノのアクションであって、
前記鍵の押鍵時に、当該鍵で突き上げられることによって上方に回動するウィッペンと、
上下方向に延びるハンマー突上げ部を有し、前記ウィッペンに回動自在に取り付けられたジャックと、
前記鍵の押鍵に伴う前記ハンマーの回動中に、前記ジャックに係合し、当該ジャックを前記ウィッペンに対して回動させることにより、前記ハンマー突上げ部を前記バットから離脱させるレギュレティングボタンと、
前記ジャックと前記ウィッペンの間に設けられ、当該ジャックを、前記ウィッペンに対して、押鍵時の回動方向とは逆の復帰回動方向に付勢するジャックスプリングと、
前記ジャックの前記ハンマー突上げ部から突出し、当該ハンマー突上げ部を越えて上方に延び、前記ハンマーの復帰回動中に、前記バットの前記キャッチャーシャンクが当接することにより、前記ハンマーを停止させるストッパと、
を備えていることを特徴とするアップライトピアノのアクション。
【請求項２】
前記ジャックおよび前記ストッパは、合成樹脂の成形品で一体に構成されていることを特徴とする請求項１に記載のアップライトピアノのアクション。
【請求項３】
前記ストッパおよび前記キャッチャーシャンクの互いに当接する部位の少なくとも一方には、緩衝材が設けられていることを特徴とする請求項１または２に記載のアップライトピアノのアクション。
【請求項４】
前記緩衝材は、繊維材料により構成されていることを特徴とする請求項３に記載のアップライトピアノのアクション。
【請求項５】
前記緩衝材は、発泡合成樹脂により構成されていることを特徴とする請求項３に記載のアップライトピアノのアクション。
【発明の詳細な説明】
【技術分野】
【０００１】
本発明は、鍵の押鍵に伴って作動し、ハンマーを回動させることにより打弦を行わせるアップライトピアノのアクションに関する。
【背景技術】
【０００２】
例えば、トリルを行う場合のように、鍵を連続して押鍵（連打）するときには、鍵が完全に離鍵状態に戻る前に、再度、押鍵することが繰り返される。しかし、このような鍵の連打を行った場合、アップライトピアノでは、以下に述べる理由から、演奏者の意図どおりの演奏を行えないことがある。
【０００３】
すなわち、連打以外の通常の押鍵に場合には、それに伴い、ハンマーは、その下端部のバットが、ウィッペンとともに回動するジャックの上端部によって突き上げられることにより回動する。ジャックは、押鍵の途中で、レギュレティングボタンによってウィッペンに対して回動させられることによりバットから離脱し、その直後に、ハンマーは弦を打弦することにより演奏音を発生させる。打弦後には、ジャックおよびハンマーは、押鍵時とはそれぞれ逆方向に回動し、さらに鍵が離鍵されることによって、ジャックの上端部がバットに係合した初期状態に復帰する。
【０００４】
これに対し、鍵を連打する場合には、ハンマーが、ジャックよりも早く復帰回動してしまい、それにより、ジャックがバットの側面に当接した状態になり、バットがジャックの復帰回動を妨げることがある。特に、鍵が深いストローク位置にある場合、鍵をかなり戻さない限り、ウィッペンとともに回動するジャックの上端部がバットの下側に入り込むことができず、ジャックおよびバットを初期状態に復帰させることができないため、深いストローク位置から鍵を連打しても、ハンマーを適正に駆動できず、打弦が行えない。
【０００５】
このような不具合を解消するための従来のアップライトピアノのアクションとして、例えば特許文献１に開示されたものが知られている。このアクションは、通常のアクションと同様、鍵の押鍵に伴って回動するウィッペンと、ウィッペンに回動自在に取り付けられたジャックと、ウィッペンのジャックよりも前側に設けられたバックチェックと、下端部のバットにジャックの上端部が係合し、ジャックにより突き上げられ、打弦することによって演奏音を発生させるハンマーなどを備えている。
【０００６】
また、バットから前方に突出するキャッチャーシャンクには、上下方向に延びる軸受け部が設けられており、その上端部には、前後方向に延びるレペティションレバーが回動自在に設けられている。また、軸受け部の上端にはコードが立設されており、その上端部とレペティションレバーの後端部の間にはスプリングが取り付けられていて、このスプリングにより、レペティションレバーの前端部が下方に付勢されている。また、レペティションレバーの軸受け部との連結部の前側には、下方に延びるロッドが固定されており、その下端部の調整ねじが、ジャックの上端部の前面に当接している。また、レペティションレバーの後端部にも調整ねじが設けられており、この調整ねじは、バットに上方から対向している。
【０００７】
以上のようなアクションによれば、鍵の押鍵に伴い、ウィッペンとともにジャックが上方に回動し、バットを上方に突き上げることによって、そのレペティションレバーなどとともに回動させる。その途中で、ジャックが、レギュレティングボタンに当接することにより、ジャックスプリングの付勢力に抗してウィッペンに対して回動させられ、バットから離脱する。このジャックの回動により、レペティションレバーは、ロッドを介して駆動され、スプリングの付勢力に抗して、その前端部が上方に回動する。ハンマーが弦を打弦した後、弦の反発力により、ハンマーが反対方向に復帰回動する際には、その途中でレペティションレバーの前端部がバックチェックの上面に当接し、スプリングの付勢力に抗して回動することによって、ロッドの下端部の調整ねじがジャックから離れる。ハンマーがさらに回動すると、キャッチャーシャンクの前端部に設けられたキャッチャーが、バックチェックに係止されるとともに、レペティションレバーの後端部の調整ねじが、バットの上面に当接する。
【０００８】
このような状態から、離鍵され、鍵が元の位置に戻り始めると、ウィッペンおよびジャックがともに下方に回動することによって、まず、キャッチャーからバックチェックが離れる。これにより、上記のように付勢されているレペティションレバーが、ロッドの調整ねじがジャックに当接するまで回動するとともに、後端部の調整ねじがバットから離れる。さらに鍵が戻されることにより、ジャックがレギュレティングボタンから離れるとともに、レペティションレバーの前端部がバックチェックから離れることによって、ジャックが、ジャックスプリングに加え、スプリングの付勢力によりロッドを介して駆動され、元の位置に即座に復帰回動し、その上端部がバットに係合した状態に復帰する。したがって、この状態において、再度の押鍵により、次の打弦を行うことが可能な状態に復帰する。
【０００９】
以上のように、鍵が離鍵され、元の位置に戻る途中において、ジャックを、スプリングおよびジャックスプリングの双方の付勢力によって素早くバットに係合させるので、鍵が離鍵状態に完全に復帰する前に、次の押鍵による打弦が可能な状態になる。また、バックチェックにレペティションレバーおよびキャッチャーの双方が当接することにより、バットの復帰回動が、確実に一旦、停止するので、深いストロークで押鍵した場合であっても、鍵の連打性を維持することができる。
【００１０】
しかし、上述した特許文献１のアクションには、以下のような問題がある。すなわち、このアクションでは、上述したように、構成部品が非常に多く、構成が非常に複雑であるため、製造コストが増大してしまう。また、ジャックには、ロッドなどを介してスプリングの付勢力が常に作用しているので、その分、タッチが重くなるとともに、ジャックがバットから離脱したときの明確なレットオフ感が得られ難いなど、タッチ感が変化してしまい、演奏者に違和感を与えるおそれがある。
【００１１】
本発明は、以上のような課題を解決するためになされたものであり、非常に単純な構成で、タッチ感を変化させることなく、深いストロークにおいても鍵を連打することができるアップライトピアノのアクションを提供することを目的としている。
【００１２】
【特許文献１】特開平６−８３３２６号公報  （第３〜５頁、第１〜４図）
【発明の開示】
【課題を解決するための手段】
【００１３】
この目的を達成するために、本発明の請求項１に係る発明は、鍵の押鍵に伴って作動し、バットおよびキャッチャーシャンクを一体に有するハンマーを回動させることにより打弦を行わせるアップライトピアノのアクションであって、鍵の押鍵時に、鍵で突き上げられることによって上方に回動するウィッペンと、上下方向に延びるハンマー突上げ部を有し、ウィッペンに回動自在に取り付けられたジャックと、鍵の押鍵に伴うハンマーの回動中に、ジャックに係合し、ジャックをウィッペンに対して回動させることにより、ハンマー突上げ部をバットから離脱させるレギュレティングボタンと、ジャックとウィッペンの間に設けられ、ジャックを、ウィッペンに対して、押鍵時の回動方向とは逆の復帰回動方向に付勢するジャックスプリングと、ジャックのハンマー突上げ部から突出し、ハンマー突上げ部を越えて上方に延び上下方向に延び、ハンマーの復帰回動中に、バットのキャッチャーシャンクが当接することにより、ハンマーを停止させるストッパと、を備えていることを特徴とする。
【００１４】
このアップライトピアノのアクションによれば、鍵の押鍵に伴い、ウィッペンが上方に回動すると、このウィッペンに回動自在に設けられたジャックが、ウィッペンと一緒に上方に移動することにより、ジャックのハンマー突上げ部が、バットを突き上げることによってハンマーを回動させる。また、押鍵中に、ジャックは、レギュレティングボタンに係合することにより、ウィッペンに対して回動させられ、バットから離脱する。その後、ハンマーは、慣性によって回動し、弦を打弦することによって、演奏音を発生させる。
【００１５】
打弦後においては、ハンマーは、弦の反発力によって、押鍵時とは逆方向に復帰回動する。この復帰回動の途中で、ジャックのハンマー突上げ部の上端を越えて上方に延びるストッパに、ハンマーのキャッチャーシャンクが当接することにより、ハンマーの復帰回動が阻止される。そして、鍵が離鍵され、ウィッペンおよびジャックが一緒に下方に復帰回動することによって、バットの復帰回動が再開されるとともに、ジャックスプリングの付勢力によって、ジャックがウィッペンに対して復帰回動する。そして、ジャックおよびハンマーは、ジャックのハンマー突上げ部がバットに係合した離鍵状態に復帰する。
【００１６】
以上のように、ハンマーの復帰回動の途中で、キャッチャーシャンクがストッパに当接することにより、キャッチャーシャンクを、より高い位置、すなわち、ハンマーが完全に復帰回動する手前の位置で一旦、停止させることができる。それにより、ジャックによって突き上げられるバットの部位が、離脱したジャックのハンマー突上げ部に近い位置に保持される。この状態から鍵を少し戻すと、ジャックスプリングの付勢力により、ジャックが復帰回動することによって、そのハンマー突上げ部がバットにすぐに係合する。したがって、この状態から、再び押鍵することにより、ジャックでハンマーを突き上げ、打弦させることができるので、深いストローク位置からの鍵の連打を行うことができる。また、ジャックは、ジャックスプリングのみにより付勢されていることによって、明確なレットオフ感を確実に得ることができるなど、基本的に、通常のアクションと同じタッチ感を得ることができる。
【００１７】
また、このアクションは、通常のアクションと比較して、基本的には、ジャックにストッパを付加しただけのものであるので、製造コストをほとんど増大させることなく、安価に製造することができる。また、同じ理由により、通常のアップライトピアノのアクションのジャックを、本発明によるアクションのジャックに交換することも容易であるので、そのような交換により、出荷済みのものを含め、既存のアップライトピアノにも、上記の効果を付与することができる。
【００１８】
請求項２に係る発明は、請求項１に記載のアップライトピアノのアクションにおいて、ジャックおよびストッパは、合成樹脂の成形品で一体に構成されていることを特徴とする。
【００１９】
このアップライトピアノのアクションによれば、ジャックおよびストッパは、合成樹脂の成形品で一体に構成されていることにより、製造コストを低減することができるとともに、高い精度で成形することができるので、アクションの品質のばらつきを抑制することができる。また、製造後においては、乾湿の変化などの環境変化の影響を受け難いとともに、経時的に品質が劣化し難いので、ジャックおよびストッパの動作を、長期間にわたって良好に維持することができる。
【００２０】
請求項３に係る発明は、請求項１または２に記載のアップライトピアノのアクションにおいて、ストッパおよびキャッチャーシャンクの互いに当接する部位の少なくとも一方には、緩衝材が設けられていることを特徴とする。
【００２１】
このアップライトピアノのアクションによれば、バットとともにキャッチャーシャンクが復帰回動する際には、ストッパにキャッチャーシャンクが、これらの少なくとも一方に設けられた緩衝材を介して、当接する。これにより、キャッチャーシャンクとストッパが衝突する際の衝撃が緩和されるので、衝突に起因する雑音の発生を抑制することができる。
【００２２】
請求項４に係る発明は、請求項３に記載のアップライトピアノのアクションにおいて、緩衝材は、繊維材料により構成されていることを特徴とする。
【００２３】
このアップライトピアノのアクションによれば、緩衝材が、例えば、フェルトやクロスなどの繊維材料により構成されているので、キャッチャーシャンクが衝突する際の雑音を抑制できるとともに、安価に製造することができる。
【００２４】
請求項５に係る発明は、請求項３に記載のアップライトピアノのアクションにおいて、緩衝材は、発泡合成樹脂により構成されていることを特徴とする。
【００２５】
このアップライトピアノのアクションによれば、緩衝材が、発泡合成樹脂で構成されているので、キャッチャーシャンクが衝突する際の雑音を抑制できるとともに、衝突の衝撃を効果的に吸収することができる。それにより、例えば、鍵が強打されることによりハンマーが強く突き上げられ、その復帰回動の速度が速い場合でも、緩衝材によって衝突の衝撃が吸収されるので、ハンマーのリバウンドを防止することができる。
【発明を実施するための最良の形態】
【００２６】
以下、本発明の好ましい実施形態を、図面を参照しながら詳細に説明する。図１および２は、本発明によるアップライトピアノのアクション１、鍵盤２およびハンマー３などを、離鍵状態において示している。なお、以下の説明では、演奏者側から見たときのアップライトピアノの手前側を「前」、奥側を「後」として説明する。鍵盤２は、左右方向（図１の奥行方向）に並んだ多数の鍵４（１つのみ図示）によって構成されており、各鍵４は、前後方向（図１の左右方向）のほぼ中央において、筬５に揺動自在に支持されている。
【００２７】
アクション１は、鍵盤２の後端部の上方において、筬５の左右端部にそれぞれ設けたブラケット（図示せず）に取り付けられ、両ブラケットの間に設けられている。アクション１は、ウィッペン６やジャック７などを有していて、これらは、鍵４ごとに設けられている（ともに１つのみ図示）。左右のブラケットの間には、センターレール１６およびハンマーレール１７などが渡されており、このセンターレール１６に鍵４ごとにねじ止めされたウィッペンフレンジ１２およびバットフレンジ２４に、ウィッペン６の後端部およびハンマー３の下端部が、それぞれ回動自在に取り付けられている。
【００２８】
ウィッペン６は、例えば合成樹脂または木材によって所定の形状に形成されており、その前部から下方に突出するヒール部６ａを有していて、対応する鍵４の上面後端部に設けられたキャプスタンボタン４ａに、ヒール部６ａを介して載置されている。また、ウィッペン６の上面前端部には、バックチェックワイヤ９ａが立設されていて、その先端部にバックチェック９が取り付けられている。また、ウィッペン６の上面後端部には、後述するダンパー２５を駆動するためのスプーン１１が立設されている。また、このスプーン１１のすぐ前方には、前述したウィッペンフレンジ１２が配置されており、このウィッペンフレンジ１２の上部が、センターレール１６に固定されている。
【００２９】
ジャック７は、合成樹脂、例えばポリアセタール樹脂により構成されており、射出成形によって一体成形されている。また、図２に示すように、ジャック７は、前後方向に延びる基部７ａと、基部７ａの後端部から上方に延びるハンマー突上げ部７ｂと、ハンマー突上げ部７ｂの上部に設けられたストッパ７ｃを有している。ストッパ７ｃは、ハンマー突上げ部７ｂから前側に斜め上方に突出するとともに、ハンマー突上げ部７ｂの上端を越えて上方に延びており、上端部が、後述するキャッチャーシャンク２６に下方から対向している。また、ジャック７には、軽量化のための凹部７ｅなどが形成されており、ストッパ７ｃの上面には、緩衝材としてフェルト７ｄ（繊維材料）が貼り付けられている。
【００３０】
以上のようなジャック７は、その基部７ａとハンマ突上げ部７ｂとの角部において、ウィッペン６のバックチェックワイヤ９ａよりも後方の位置に回動自在に取り付けられている。また、基部７ａとウィッペン６の間には、ジャックスプリング１０が取り付けられている。このジャックスプリング１０は、コイルばねで構成され、押鍵時に、後述するようにジャック７を付勢するためのものであり、所定のばね力を有している。
【００３１】
ジャック７の基部７ａの上方には、レギュレティングボタン１３が設けられている。このレギュレティングボタン１３は、センターレール１６に設けられた複数のレギュレティングブラケット１４と、その前端部に取り付けられ、左右方向に延びるレギュレティングレール１５を介して、鍵４ごとに設けられている（１つのみ図示）。
【００３２】
ハンマー３は、バット２０、ハンマーシャンク２１、およびハンマーヘッド２２などを有している。バット２０は、その下端部において、前述したバットフレンジ２４に軸線Ａを中心として回動自在に取り付けられており、それにより、ハンマー３が回動自在になっている。また、バットフレンジ２４は、その下端部においてセンターレール１６に固定されている。ハンマーシャンク２１は、バット２０の上面に立設されており、その上端部にハンマーヘッド２２が取り付けられていて、図１に示す離鍵状態では、ハンマーシャンク２１がハンマーレール１７に後方から当接し、ハンマーヘッド２２が鉛直に張られた後方の弦Ｓに対向している。また、バット２０の前面には、棒状に形成され、バックチェック９に向かって延びるキャッチャーシャンク２６が設けられており、その前端部にキャッチャー２３が取り付けられている。
【００３３】
キャッチャー２３は、前述したバックチェック９の後方に位置し、これと対向している。また、バット２０とハンマーシャンク２１の間には、バットスプリング２０ａが設けられており、これにより、ハンマー３が図１の時計方向に付勢されている。また、この離鍵状態では、前述したジャック７のハンマー突上げ部７ｂがバット２０の下面の前端部で構成される被突上げ部２０ｂに下方から係合している。
【００３４】
また、アクション１の後方には、ダンパー２５が鍵４ごとに設けられている（１つのみ図示）。ダンパー２５は、ダンパーフレンジ２５ｂを介してセンターレール１６に回動自在に取り付けられたダンパーレバー２５ｃと、ダンパーレバー２５ｃの上側にダンパーワイヤ２５ｄを介して取り付けられたダンパーヘッド２５ａと、ダンパー２５を弦Ｓ側に付勢するダンパーレバースプリング２５ｅなどで構成されている。このダンパー２５は、離鍵時に、ダンパーレバースプリング２５ｅの付勢力によって、ダンパヘッド２５ａが弦Ｓに当接することにより止音するためのものである。
【００３５】
以下、上述したアクション１およびハンマー３などの押鍵の開始から離鍵の終了までの一連の動作について説明する。演奏者により、図１の離鍵状態から鍵４が押鍵されると、鍵４は、図１の時計方向に回動し、その後端部に載置されたウィッペン６は、鍵４によって突き上げられることにより、上方（反時計方向）に回動する。このウィッペン６の回動に伴い、ウィッペン６に設けられたジャック７およびバックチェック９などが一緒に回動し、ハンマー３は、そのバット２０がジャック７のハンマー突上げ部７ｂによって突き上げられることにより、後方の弦Ｓに向かって反時計方向に回動する。
【００３６】
ウィッペン６が所定の角度、回動したときに、ジャック７の基部７ａの前端部が、レギュレティングボタン１３に下方から当接する。ウィッペン６がさらに回動するのに従い、ジャック７は、レギュレティングボタン１３によって上方への回動が規制されることにより、ウィッペン６に対して時計方向に回動する。
【００３７】
さらに押鍵が進み、ジャック７が、レギュレティングボタン１３に当接した状態でさらに時計方向に回動することにより、ハンマー突上げ部７ｂがバット２０から前方に外れ、ハンマー３から離脱する。これにより、鍵４のタッチ重さからハンマー３の重量分が急激に失われることにより、演奏者にレットオフ感が付与される。ハンマー３は、ジャック７が離脱した後も慣性によって回動し、弦Ｓを打弦することにより振動させることによって、演奏音を発生させる。そして、ハンマー３は、弦Ｓの反発力によって、時計方向への復帰回動を開始する。
【００３８】
ハンマー３は、復帰回動する途中において、ジャック７のストッパ７ｃにより、復帰回動を阻止されるとともに、キャッチャー２３を介してバックチェック９により係止されることにより、ハンマー３のバックストップが行われる。具体的には、図３に示すように、ハンマー３のキャッチャーシャンク２６が、レギュレティングボタン１３によって回動させられた状態のストッパ７ｃの上端に衝突し、当接した状態になることにより、ハンマー３の復帰回動が停止される。その際、ストッパ７ｃの上端部に設けられたフェルト７ｄを介して当接するので、当接に伴う雑音が抑制される。また、このときのハンマー突上げ部７ｂの上端部は、バット２０の被突上げ部２０ｂから外れ、その前側に隣接した状態になっている。
【００３９】
また、キャッチャーシャンク２６がストッパ７ｃに当接するのとほぼ同時に、ハンマー３は、上方に移動した状態のバックチェック９に次のようにして係止される。まず、この時点では、バックチェック９は、押鍵に伴いウィッペン６と一緒に上方に移動している。また、ハンマー３の復帰回動に伴い、キャッチャー２３が、バックチェック９に向かって上方から接近する。そして、ハンマー３は、図３に示すバックストップ位置において、バックチェック９がキャッチャー２３の前面を押圧した状態で係止され、その復帰回動が一旦、停止させられることによって、ハンマー３のリバウンドが防止される。
【００４０】
押鍵が終了し、鍵４が離鍵されると、鍵４およびウィッペン６は、押鍵時とは逆方向にそれぞれ回動する。その際、バックチェック９もまた、ウィッペン６と一緒に移動するので、押鍵時とは逆にキャッチャー２３から離れ始めることによって、バックチェック９によるハンマー９の係止状態が解除される。それにより、ハンマー３は、バットスプリング２０ａの付勢力により、時計方向に復帰回動を再開する。
【００４１】
一方、離鍵時において、ジャック７は、ウィッペン６と一緒にほぼ下方に移動するとともに、ジャックスプリング１０の付勢力により、ウィッペン９に対して押鍵時と逆に反時計方向に復帰回動することによって、以下のような動作を行う。すなわち、鍵４がわずかに戻されるまでの間に、ストッパ７ｃが、キャッチャーシャンク２６を介してハンマー３を支持することにより、ハンマー３は、急な復帰回動を阻止され、その状態でジャック７の下方への移動に伴ってストッパ７ｃが下降することによって、ハンマー突上げ部７ｂが、バット２０に邪魔されることなくその下側に入り込む。それにより、ハンマー突上げ部７ｂの上端部が、バット２０の被突上げ部２０ｂに下方から係合するようになり、それにより、ハンマー３の再度の突上げが可能な状態になる。そして、鍵４などの復帰回動がさらに進むことにより、ハンマーシャンク２１がハンマーレール１７に当接することによって、その復帰回動が停止するとともに、ウィッペン６、ジャック７およびバックチェック９などが、完全に離鍵状態に復帰し、押鍵時および離鍵時の一連の動作が終了する。
【００４２】
また、例えば、トリルを行う場合のように、同じ鍵４を連打する場合には、鍵４は、離鍵された後、離鍵状態に完全に復帰する前に再度、押鍵される。前述したように、ジャック７は、復帰回動の途中の鍵４がわずかに戻され、すなわち、鍵４が深いストローク位置にあるときにおいて、そのハンマー突上げ部７ｂがバット２０に下方から係合することにで、再度の押鍵が可能な状態になるので、そのような状態になったときから離鍵が完全に終了する直前までの間に押鍵することを繰り返すことによって、鍵４の連打を行うことができる。
【００４３】
以上のように、ハンマー３の復帰回動の途中で、そのキャッチャーシャンク２６がストッパ７ｃに当接することにより、キャッチャーシャンク２６をより高い位置で、すなわち、ハンマー３を、完全に復帰回動する手前の位置で、一旦、停止させることができる。それにより、バット２０の被突上げ部２０ｂが、離脱したジャック７のハンマー突上げ部７ｂに近い位置に保持され、この状態から鍵４を少し戻すと、ハンマー突上げ部７ｂがバット２０にすぐに係合するようになる。したがって、この状態から、再び押鍵することにより、ハンマー３に打弦させることができるので、深いストローク位置からでも鍵４の連打を行うことができる。また、ジャック７は、ジャックスプリング１０のみにより付勢されていることによって、明確なレットオフ感を確実に得ることができるなど、基本的に、通常のアクションと同じタッチ感を得ることができる。
【００４４】
また、このアクション１は、通常のアップライトピアノのアクションと比較して、基本的には、ジャック７にストッパ７ｃを付加しただけのものであるので、製造コストをほとんど増大させることなく、安価に製造することができる。また、同じ理由により、通常のアップライトピアノのアクションのジャックを、本発明によるアクション１のジャック７に交換することも容易であるので、そのような交換により、出荷済みのものを含め、既存のアップライトピアノにも、上記の効果を付与することができる。
【００４５】
また、ジャック７は、合成樹脂の成形品で一体に構成されていることにより、製造コストを低減することができるとともに、高い精度で成形することができるので、アクション１の品質のばらつきを抑制することができる。また、製造後においては、乾湿の変化などの環境変化の影響を受け難いとともに、経時的に品質が劣化し難いので、ストッパ７ｃを含むジャック７の動作を、長期間にわたって良好に維持することができる。
【００４６】
また、ハンマー３が復帰回動する際には、キャッチャーシャンク２６が、ストッパ７ｃの上端部のフェルト７ｄを介して当接する。これにより、キャッチャーシャンク２６がストッパ７ｃに衝突する際の衝撃が緩和されるので、この衝突に起因する雑音の発生を抑制することができる。さらに、安価なフェルト７ｄが用いられていることにより、緩衝材による製造コストをほとんど増大させることなく製造することができる。
【００４７】
なお、本発明は、説明した実施形態に限定されることなく、種々の態様で実施することができる。例えば、実施形態では、フェルト７ｄを、ジャック７のストッパ７ｃに設けているが、これとは逆にハンマ３のキャッチャーシャンク２６に、または両者７ｃ，２６に設けてもよい。また、実施形態では、緩衝材として、フェルト７ｄを用いているが、これに代えて、発泡合成樹脂を用いてもよい。その場合、キャッチャーシャンク２６が衝突したときの衝撃を発泡合成樹脂で効果的に吸収できるので、鍵４が強打され、ハンマー３の復帰回動の速度が速い場合でも、ハンマー３のリバウンドを確実に防止することができる。また、フェルト７ｄに代えて、クロスまたは弾性体などの緩衝材としての機能を有する部材を用いてもよい。
【００４８】
また、実施形態で示したウィッペンやジャックなどの各構成部品の材質などは、あくまで例示であり、他の適当な材質を採用することが可能である。その他、細部の構成を、本発明の趣旨の範囲内で適宜、変更することが可能である。
【図面の簡単な説明】
【００４９】
【図１】本発明の実施形態によるアクションを、鍵盤およびハンマーなどとともに離鍵状態において示す側面図である。
【図２】図１のアクションのジャックおよびバックチェックなどの付近を、離鍵状態において示す部分拡大図である。
【図３】図１のアクションのジャックおよびバックチェックなどの付近を、押鍵時において示す部分拡大図である。
【符号の説明】
【００５０】
１    アクション
２    鍵盤
３    ハンマー
４    鍵
６    ウィッペン
７    ジャック
７ｂ  ハンマー突上げ部
７ｃ  ストッパ
７ｄ  フェルト（繊維材料）
１０    ジャックスプリング
１３    レギュレティングボタン
２０    バット
２６    キャッチャーシャンク
【図１】
2006171618.tif 000003
【図２】
2006171618.tif 000004
【図３】
2006171618.tif 000005